(57)【要約】【課題】球貯留台前側の限られたスペースに、大型の押圧操作部を備え且つ安定感と滑らかさを両立させた操作性を有する押圧操作手段を搭載した弾球遊技機を提供する。【解決手段】発射用の遊技球を貯留する貯留皿１１を上部側に備えた球貯留台と、この球貯留台の前側に配置され且つ外部から押圧操作可能な押圧操作手段１８とを備えた弾球遊技機で、球貯留台は、貯留皿１１を構成する貯留皿体１５と、その貯留皿体１５の下側に配置されるベース体１６と、貯留皿体１５とベース体１６とを前側から覆うカバー体とを備え、押圧操作手段１８は、カバー体に形成された開口部に後側から嵌合する操作部材６１と、外部操作による操作部材６１の後方への移動を検出する操作検出手段６２とを備え、操作部材６１は、その左右方向一端側に配置された縦軸６６により貯留皿体１５とベース体１６との間で揺動自在に支持されている。【選択図】図５
2008029589.tif 000002
【特許請求の範囲】
【請求項１】
発射用の遊技球を貯留する貯留皿（１１）を上部側に備えた球貯留台（１４）と、該球貯留台（１４）の前側に配置され且つ外部から押圧操作可能な押圧操作手段（１８）とを備えた弾球遊技機において、前記球貯留台（１４）は、前記貯留皿（１１）を構成する貯留皿体（１５）と、その貯留皿体（１５）の下側に配置されるベース体（１６）と、前記貯留皿体（１５）と前記ベース体（１６）とを前側から覆うカバー体（１７）とを備え、前記押圧操作手段（１８）は、前記カバー体（１７）に形成された開口部（３５ｂ）に後側から嵌合する操作部材（６１）と、外部操作による前記操作部材（６１）の後方への移動を検出する操作検出手段（６２）とを備え、前記操作部材（６１）は、その左右方向一端側に配置された縦軸（６６）により前記貯留皿体（１５）と前記ベース体（１６）との間で揺動自在に支持されていることを特徴とする弾球遊技機。
【請求項２】
前記操作検出手段（６２）は、所定方向に往復移動可能な可動部材（７１）と、この可動部材（７１）を所定方向に付勢する付勢部材（７２）と、前記可動部材（７１）が前記付勢部材（７２）の付勢力に抗して移動したことを検出する検出スイッチ（７４）とを備え、前記操作部材（６１）が前記縦軸（６６）廻りに後ろ向きに揺動したときに、前記可動部材（７１）の被操作部（８４）が押されるように構成されていることを特徴とする請求項１に記載の弾球遊技機。
【請求項３】
前記操作検出手段（６２）は、前記被操作部（８４）を後方に向けた状態で前記操作部材（６１）側に装着され、前記操作部材（６１）が押されたときに前記被操作部（８４）が前記貯留皿体（１５）側又は前記ベース体（１６）側の所定部位に押されるように構成されていることを特徴とする請求項２に記載の弾球遊技機。
【請求項４】
発光体（６３ａ）を備えた発光基板（６３）を前記操作検出手段（６２）と共に前記操作部材（６１）側に装着したことを特徴とする請求項３に記載の弾球遊技機。
【請求項５】
前記操作検出手段（６２）は、前記被操作部（８４）を前方に向けた状態で前記貯留皿体（１５）側又は前記ベース体（１６）側に装着され、前記操作部材（６１）が押されたときに前記被操作部（８４）が前記操作部材（６１）側の所定部位に押されるように構成されていることを特徴とする請求項２に記載の弾球遊技機。
【請求項６】
発光体（６３ａ）を備えた発光基板（６３）を前記操作検出手段（６２）と共に前記貯留皿体（１５）側又は前記ベース体（１６）側に装着したことを特徴とする請求項５に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機では、遊技者が遊技に関与する機会を増やして興趣を喚起すべく、遊技者が押圧操作可能な押しボタン式の押圧操作手段を搭載し、遊技中に適宜遊技者の操作を求め、その操作状況に応じて演出内容を変化させるようにしたものが広く出回っている。この押圧操作手段は、例えば特許文献１に記載されているように、遊技者が遊技中に容易に操作できるよう、上皿（貯留皿）を上部側に備えた球貯留台の前側に設けられている例が多い。
【０００３】
また、従来の押圧操作手段は、特許文献１に記載されているように、前後方向に配置された筒状ケース内に、遊技者が押圧操作する押圧操作部を前側に露出させた状態で前後方向摺動自在に保持される操作部材の他、この操作部材を前向きに付勢するコイルバネ等の付勢部材、操作部材が押圧操作されて後ろ向きに移動したことを検出する検出スイッチ、ＬＥＤ等を収容したユニット構成となっているものが一般的である。
【特許文献１】特開２００４−０６５３７８号公報
【発明の開示】
【発明が解決しようとする課題】
【０００４】
特許文献１に記載されているような押圧操作手段の場合、操作部材が筒状ケース内に摺動自在に収容されている関係上、前端側の押圧操作部の外径は筒状ケースの外径と同程度かそれよりも小さく形成せざるを得なかった。
【０００５】
従って、遊技者の操作性をよくするために押圧操作部を大きく形成しようとすると、必然的に筒状ケースも大きくなるため、球貯留台内部の限られたスペースに搭載することが難しくなり、逆に球貯留台内部への収まりを重視して筒状ケースを小型化すると、押圧操作部が小さくなって遊技者の操作性が悪くなる問題があった。
【０００６】
また、従来の押圧操作手段では、操作部材が筒状ケース内に前後方向摺動自在に保持された構成となっているため、操作部材の摺動動作について安定感と滑らかさとを両立させることが難しく、操作性に難があった。
【０００７】
本発明は、このような従来の問題点に鑑み、球貯留台前側の限られたスペースに、大型の押圧操作部を備え且つ安定感と滑らかさを両立させた操作性を有する押圧操作手段を搭載した弾球遊技機を提供することを目的とする。
【課題を解決するための手段】
【０００８】
本発明は、発射用の遊技球を貯留する貯留皿１１を上部側に備えた球貯留台１４と、該球貯留台１４の前側に配置され且つ外部から押圧操作可能な押圧操作手段１８とを備えた弾球遊技機において、前記球貯留台１４は、前記貯留皿１１を構成する貯留皿体１５と、その貯留皿体１５の下側に配置されるベース体１６と、前記貯留皿体１５と前記ベース体１６とを前側から覆うカバー体１７とを備え、前記押圧操作手段１８は、前記カバー体１７に形成された開口部３５ｂに後側から嵌合する操作部材６１と、外部操作による前記操作部材６１の後方への移動を検出する操作検出手段６２とを備え、前記操作部材６１は、その左右方向一端側に配置された縦軸６６により前記貯留皿体１５と前記ベース体１６との間で揺動自在に支持されているものである。
【発明の効果】
【０００９】
本発明によれば、操作部材６１を大型に形成しても、押圧操作されたときの操作部材６１の動作は安定的且つ滑らかで、その操作性を常に良好に保つことができる。また、従来のような摺動構造ではないために操作部材６１を前後方向に薄型化することができ、球貯留台１４の限られたスペースに容易に組み込むことができるにも拘わらず、それによって操作性が犠牲になることもない。しかも、従来の筒状ケースのような操作部材６１を保持するための特別な部品を別途設ける必要がないため、構造は極めてシンプルである。
【発明を実施するための最良の形態】
【００１０】
以下、本発明の実施形態を図面に基づいて詳述する。図１〜図８は本発明をパチンコ機として具現化した第１の実施形態を例示している。図１において、１は外枠で、この外枠１の前側には、前枠２が、左右一端側に設けられた上下一対のヒンジ３を介して開閉自在に枢着されている。４はガラス扉、５は前面開閉板で、これらは前枠２の窓孔６に対応して上下に配置され、前枠２に開閉自在に枢支されている。ガラス扉４は、前枠２側の遊技盤２０に対応してその前側に配置されており、遊技者はこのガラス扉４のガラス窓を介して遊技盤２０の遊技領域を視認できるようになっている。
【００１１】
前枠２の下部には、左右方向の中央部に下皿７が設けられ、この下皿７の左右に灰皿８と発射手段９を操作するための発射ハンドル１０とが夫々装着されている。発射手段９は遊技者が発射ハンドル１０を把持したときに作動して遊技盤２０の遊技領域へと遊技球を発射するようになっている。
【００１２】
前面開閉板５はステンレス板等の板金製で、ガラス扉４の下側にヒンジ３と同じ側のヒンジ５ａにより開閉自在に装着されている。前面開閉板５には、その前側に発射用の遊技球を貯留する上皿（貯留皿）１１と、貸球操作ボタン１２とを上部側に備えた球貯留台１４が設けられている。
【００１３】
球貯留台１４は、図１〜図４に示すように、上部側の貯留皿体１５と、下部側のベース体１６と、それら貯留皿体１５とベース体１６とを前側から覆うカバー体１７と、このカバー体１７の前側から操作可能な演出操作手段（押圧操作手段）１８及び球抜き操作手段１９とを備えている。
【００１４】
貯留皿体１５は、上皿１１を構成するもので、図３及び図４に示すように、払い出し手段（図示省略）から払い出された賞球を受けて前側に案内する払い出し案内樋２１と、この払い出し案内樋２１側から供給された遊技球を貯留する貯留部２２と、この貯留部２２内の遊技球を前面開閉板５の後側に向けて開口する発射供給口２３側に向けて一列状に流下させる流下通路部２４と、貯留部２２と流下通路部２４との間に設けられ且つ貯留部２２側の遊技球を一列状に整列させつつ流下通路部２４側に流下させる整列部２５とを例えば一体に備え、払い出し案内樋２１を前面開閉板５の開口部２６を介して後側に突出させた状態で前面開閉板５の前側に着脱自在に装着されている。
【００１５】
また、貯留皿体１５の下面側には、下側のベース体１６を連結するための連結柱２７が下向きに複数本突設されている。
【００１６】
ベース体１６は、貯留皿体１５の下側に所定距離をおいて略水平に配置された略板状の部材で、その左右一端側に、貸球操作ボタン１２を上部側に備えた貸球操作部２８が例えば一体に設けられている。
【００１７】
ベース体１６の上面側には、貯留皿体１５側の連結柱２７が上側から嵌合可能な連結受け部２９が複数設けられている。
【００１８】
カバー体１７は、上下一対の上面板３１及び下面板３２と、それら上面板３１及び下面板３２の前縁側を上下に連結する前面板３３とを一体に備えている。上面板３１及び下面板３２は、その前縁側が略円弧状に形成されており、前面板３３はそれら上面板３１及び下面板３２の前縁側に沿って前側に膨らむ曲面状に形成されている。
【００１９】
上面板３１には、貯留皿体１５及び貸球操作部２８に対応する切欠部３４が形成されている。また、前面板３３には、例えば正面視矩形状の開口部３５が左右方向に複数、例えば７個配列されている。
【００２０】
これら複数の開口部３５のうち、例えば略中央の開口部３５ａは球抜き操作手段１９の操作部材が、例えば左から２番目の開口部３５ｂは演出操作手段１８の操作部材が夫々嵌合するようになっており、それら開口部３５ａ，３５ｂ以外の開口部３５には夫々装飾部材３６が後側から着脱自在に装着されている。
【００２１】
球抜き操作手段１９は、図４に示すように、下皿７側に連通する球抜き孔４１（図３）を開閉自在に閉鎖する球抜き開閉板４２と、外部操作可能な球抜き操作部材４３と、この球抜き操作部材４３と球抜き開閉板４２の動作を連動させる連動機構４４とを備えている。
【００２２】
球抜き孔４１は、流下通路部２４の下流側端部に例えば下向きに形成され、この球抜き孔４１を開閉する球抜き開閉板４２はバネ部材４５により閉鎖側に付勢されており、この球抜き開閉板４２がバネ部材４５の付勢力に抗して移動したとき、球抜き孔４１が開放されて流下通路部２４上及びそれよりも上流側の遊技球が下皿７側に流下するようになっている。
【００２３】
球抜き操作部材４３は、例えば正面視略矩形状の前面板４６と、この前面板４６の縁部に沿って後方に延設された上下左右の側板４７ａ〜４７ｄとで後側が開放した箱形に形成されており、カバー体１７側の開口部３５ａに後側から嵌合している。
【００２４】
球抜き操作部材４３は、その左右方向一端側、例えば左側に配置された縦軸４８により貯留皿体１５とベース体１６との間で揺動自在に支持されている。即ち、貯留皿体１５とベース体１６には、それらの前端側に夫々軸支持部４９ａ，４９ｂが上下に対応して設けられている。また、球抜き操作部材４３の左側板４７ｃには、その後端側に、軸支持部４９ａ，４９ｂ間に対応して軸受部５０が例えば外向き（左向き）に突設されている。そして、軸支持部４９ａ，４９ｂ間に、軸受部５０を上下に貫通するように縦軸４８（図３）が固定され、これによって球抜き操作部材４３は縦軸４８廻りに揺動自在に支持されている。
【００２５】
また、球抜き操作部材４３には、縦軸４８に対して左右方向の他端側、例えば右側板４７ｄ側に揺動規制部５１が例えば外向き（右向き）に突設されており、この揺動規制部５１がカバー体１７側の所定部位に後側から当接することにより前向きの揺動が規制されるようになっている。
【００２６】
連動機構４４は、球抜き操作部材４３の後ろ向きの揺動動作と、球抜き開閉板４２の開放動作とを連動させるもので、例えば互いに連動する第１ギヤ部材５２と第２ギヤ部材５３とを備えており、球抜き操作部材４３が押されて後ろ向きに揺動したとき、球抜き操作部材４３に押されて第１ギヤ部材５２と第２ギヤ部材５３とが夫々揺動し、第２ギヤ部材５３に噛合している球抜き開閉板４２が開放側に移動するようになっている。
【００２７】
なお、球抜き開閉板４２側のバネ部材４５は、球抜き開閉板４２を閉鎖側に付勢すると共に、連動機構４４を介して球抜き操作部材４３を前向きに付勢している。
【００２８】
演出操作手段１８は、外部操作可能な演出操作部材（操作部材）６１と、外部操作による演出操作部材６１の後方への移動を検出する操作検出手段６２と、発光基板６３とを備えている。
【００２９】
演出操作部材６１は、例えば正面視略矩形状の前面板６４と、この前面板６４の縁部に沿って後方に延設された上下左右の側板６５ａ〜６５ｄとで後側が開放した箱形に形成されており、前面板６４をカバー体１７の前側に露出させるように開口部３５ｂに後側から嵌合している。なお、演出操作部材６１は、少なくとも前面板６４の一部が透光性を有している。
【００３０】
演出操作部材６１は、その左右方向一端側、例えば左側に配置された縦軸６６により貯留皿体１５とベース体１６との間で揺動自在に支持されている。即ち、貯留皿体１５とベース体１６には、それらの前端側に夫々軸支持部６７ａ，６７ｂが上下に対応して設けられている。また、演出操作部材６１の左側板６５ｃには、その後端側に、軸支持部６７ａ，６７ｂ間に対応して軸受部６８が例えば外向き（左向き）に突設されている。そして、軸支持部６７ａ，６７ｂ間に、軸受部６８を上下に貫通するように縦軸６６が固定され、これによって演出操作部材６１は縦軸６６廻りに揺動自在に支持されている。
【００３１】
また、演出操作部材６１には、縦軸６６に対して左右方向の他端側、例えば右側板６５ｄ側に揺動規制部６９が例えば外向き（右向き）に突設されており、この揺動規制部６９がカバー体１７側の所定部位に後側から当接することにより前向きの揺動が規制されるようになっている。
【００３２】
更に、ベース体１６の前縁側には、演出操作部材６１が縦軸６６廻りに揺動する際にその下側板６５ｂの下面側が略摺接する揺動案内部７０が、略水平に突接されている。
【００３３】
このように、演出操作部材６１は、その左右方向一端側に配置された縦軸６６により貯留皿体１５とベース体１６との間で揺動自在に支持されているため、比較的大型であるにも拘わらず、押圧操作部（カバー体１７の前側に露出する前面板６４の前側）を押圧操作したときの演出操作部材６１の動作は安定的且つ滑らかで、その操作性は常に良好である。
【００３４】
また、従来のような摺動構造ではないために演出操作部材６１を前後方向に薄型化することができ、球貯留台１４の限られたスペースに容易に組み込むことができるにも拘わらず、それによって操作性が犠牲になることもない。しかも、従来の筒状ケースのような演出操作部材６１を保持するための特別な部品を別途設ける必要がないため、構造は極めてシンプルである。
【００３５】
操作検出手段６２は、略前後方向に往復移動可能な可動部材７１と、この可動部材７１を後ろ向きに付勢するバネ部材（付勢部材）７２と、可動部材７１及びバネ部材７２を収容するケース体７３と、可動部材７１がバネ部材７２の付勢力に抗して移動したことを検出する検出スイッチ７４とを備え、演出操作部材６１内の例えば下側板６５ｂ上に設けられている。なお、演出操作部材６１の下側板６５ｂは、その後縁側がベース体１６の前縁側近傍まで延設されている。
【００３６】
可動部材７１は、例えば略鉛直な板状に形成された中間部材８１と、この中間部材８１から前向きに突設された検出軸８２と、中間部材８１から後向きに突設された位置決め突起８３及び被操作部８４とを例えば一体に備えている。
【００３７】
検出軸８２と位置決め突起８３とは前後に対応して例えば中間部材８１の上部側に設けられている。また、被操作部８４は、位置決め突起８３の下側に対応して中間部材８１の下部側に設けられている。
【００３８】
ケース体７３は、下側が開放した略矩形箱形に形成され、演出操作部材６１の下側板６５ｂ上に着脱自在に固定されている。ケース体７３内には、可動部材７１が、その位置決め突起８３を後壁７３ｂ側の嵌合孔８５に内側から嵌合させ、被操作部８４と検出軸８２とを夫々後壁７３ｂ側の嵌合溝８６と前壁７３ａ側の嵌合溝８７に夫々下側から嵌合させた状態で収容されている。
【００３９】
また、ケース体７３内には、バネ部材７２が、検出軸８２に挿通させた状態で可動部材７１側の中間部材８１とケース体７３側の前壁７３ａとの間に配置されており、このバネ部材７２により、可動部材７１が、ケース体７３に対して後ろ向き、即ち位置決め突起８３と被操作部８４とがケース体７３から突出する方向に付勢されている。
【００４０】
なお、ケース体７３は、演出操作部材６１が最も前側の揺動位置にあるとき、即ち揺動規制部６９がカバー体１７側の所定部位に後側から略当接した状態（以下、非操作状態という）にあるとき（図７に実線で示す）、被操作部８４の先端側（後端側）が、ベース体１６側に設けられた当接部８８の前側に略当接する位置に配置されており、演出操作部材６１が前側から押圧操作されることにより後ろ向きに揺動したとき（以下、操作状態という）（図７に二点鎖線で示す）、被操作部８４が当接部８８に押されて可動部材７１が演出操作部材６１に対して相対的に前側に移動し、検出軸８２がケース体７３の前側に大きく突出するようになっている。
【００４１】
なお、バネ部材７２はケース体７３に対して可動部材７１を後ろ向きに付勢しているが、換言すれば、バネ部材７２は可動部材７１に対してケース体７３及びこのケース体７３が固定されている演出操作部材６１を前向きに付勢しているとも言える。従って、演出操作部材６１への押圧操作が解除されれば、演出操作部材６１はバネ部材７２の付勢力により前向きに揺動して非操作状態に復帰する。
【００４２】
ケース体７３の上部側には、基板装着部８９が例えば一体に設けられており、この基板装着部８９に、発光基板６３が、ＬＥＤ（発光体）６３ａの装着面を前側に向けた状態で着脱自在に装着されている。発光基板６３は、ＬＥＤ６３ａを発光させることにより、例えば演出操作手段１８の操作が有効な期間や、演出操作手段１８が操作されたこと等、演出操作手段１８に関する所定情報の報知を行うようになっている。なお、基板装着部８９は、演出操作部材６１内にケース体７３とは別に設けてもよい。
【００４３】
また、ケース体７３の前側には、検出スイッチ７４が、操作状態のときの検出軸８２の先端側に対応する位置に配置され、例えば演出操作部材６１の下側板６５ｂ上に着脱自在に固定されている。検出スイッチ７４は、例えば透過型フォトセンサにより構成されており、演出操作部材６１が押圧操作されて可動部材７１が相対的に前側に移動したときに検出軸８２の先端側を検出することにより、外部操作によって演出操作部材６１が後方に移動したこと、即ち演出操作部材６１が押圧操作されたことを検出するようになっている。
【００４４】
以上説明したように、本実施形態の演出操作手段１８は、カバー体１７に形成された開口部３５ｂに後側から嵌合する演出操作部材６１と、外部操作による演出操作部材６１の後方への移動を検出する操作検出手段６２とを備え、演出操作部材６１は、その左右方向一端側に配置された縦軸６６により貯留皿体１５とベース体１６との間で揺動自在に支持されているため、演出操作部材６１を大型に形成しても、押圧操作されたときの演出操作部材６１の動作は安定的且つ滑らかで、その操作性を常に良好に保つことができる。また、従来のような摺動構造ではないために演出操作部材６１を前後方向に薄型化することができ、球貯留台１４の限られたスペースに容易に組み込むことができるにも拘わらず、それによって操作性が犠牲になることもない。しかも、従来の筒状ケースのような演出操作部材６１を保持するための特別な部品を別途設ける必要がないため、構造は極めてシンプルである。
【００４５】
また、操作検出手段６２は、前後方向に往復移動可能な可動部材７１と、この可動部材７１を後ろ向きに付勢するバネ部材７２と、可動部材７１がバネ部材７２の付勢力に抗して移動したことを検出する検出スイッチ７４とを備え、演出操作部材６１が縦軸６６廻りに後ろ向きに揺動したときに、可動部材７１の被操作部８４が押されるように構成されているため、操作検出手段６２は演出操作部材６１の大きさとは無関係に小型化することができ、この操作検出手段６２が球貯留台１４内の限られたスペースを圧迫することもない。
【００４６】
しかも、操作検出手段６２は、被操作部８４を後方に向けた状態で演出操作部材６１側に装着され、演出操作部材６１が押されたときに被操作部８４がベース体１６側の当接部８８に押されて可動部材７１が前側に移動し、その可動部材７１の移動を検出スイッチ７４により検出するように構成されているため、演出操作手段１８を演出操作部材６１上にユニット化することができ、組立作業等を効率化できる利点がある。
【００４７】
図９〜図１２は本発明の第２の実施形態を例示し、操作検出手段６２をベース体１６側に設けた例を示している。
【００４８】
図９〜図１２に示すように、本実施形態の操作検出手段６２は、第１の実施形態と同様、可動部材７１、バネ部材７２、ケース体７３、及び検出スイッチ７４を備えており、全体として略同様の構成を有しているが、演出操作部材６１上ではなくベース体１６上に装着されており、しかもその装着方向が前後逆である点で第１の実施形態とは異なっている。即ち、本実施形態の操作検出手段６２は、ケース体７３が被操作部８４を前方に向けた状態でベース体１６上に装着され、演出操作部材６１が押されたときに、被操作部８４が演出操作部材６１側の当接部９１に押されて可動部材７１が後側に移動し（図１１に二点鎖線で示す）、その可動部材７１の移動を、ケース体７３の後側に配置された検出スイッチ７４により検出するように構成されている。
【００４９】
なお、ベース体１６の前縁側には、可動部材７１の中間部材８１及び被操作部８４が嵌合する切欠部９２が後向き凹入状に形成されている。
【００５０】
ケース体７３の上部側には、基板装着部８９が例えば一体に設けられており、この基板装着部８９に、発光基板６３が、ＬＥＤ６３ａの装着面を前側に向けた状態で着脱自在に装着されている。
【００５１】
演出操作部材６１は、第１の実施形態と略同様の構成を有し、その左右方向一端側、例えば左側に配置された縦軸６６により貯留皿体１５とベース体１６との間で揺動自在に支持されており、下側板６５ｂの後縁側が、被操作部８４に対応する当接部９１となっている。
【００５２】
なお、下側板６５ｂは、その後縁側がベース体１６の前縁側近傍まで延設されている。また、演出操作部材６１には、下側板６５ｂと平行な中間板９３が、下側板６５ｂの上側で且つ操作検出手段６２側の位置決め突起８３に対応する高さ位置に一体に設けられている。
【００５３】
以上のような第２の実施形態の場合、演出操作手段１８を１つのユニットとして構成することはできないが、第１の実施形態と同様、演出操作部材６１を大型に形成しても、押圧操作されたときの演出操作部材６１の動作は安定的且つ滑らかで、その操作性を常に良好に保つことができる。また、従来のような摺動構造ではないために演出操作部材６１を前後方向に薄型化することができ、球貯留台１４の限られたスペースに容易に組み込むことができるにも拘わらず、それによって操作性が犠牲になることもない。しかも、従来の筒状ケースのような演出操作部材６１を保持するための特別な部品を別途設ける必要がないため、構造は極めてシンプルである。
【００５４】
以上、本発明の実施形態について詳述したが、本発明はこれらの実施形態に限定されるものではなく、本発明の趣旨を逸脱しない範囲で種々の変更が可能である。例えば、第１の実施形態のように操作検出手段６２を演出操作部材６１側に設けた場合、演出操作部材６１が押圧操作されたときに被操作部８４を押す当接部８８は貯留皿体１５側に設けてもよい。
【００５５】
また、第２の実施形態のように操作検出手段６２を演出操作部材６１とは別の部分に設ける場合、操作検出手段６２を貯留皿体１５側に設けてもよい。
【００５６】
検出スイッチ７４は、例えばケース体７３上に設けてもよい。また検出スイッチ７４は可動部材７１の動作を検出可能であればよく、フォトセンサ以外の任意の検出スイッチを用いてもよい。
【００５７】
また、操作検出手段６２は、演出操作部材６１の後方への移動を検出可能であればよく、その構成は任意である。例えば、操作検出手段６２をフォトセンサ等の検出スイッチのみで構成し、第１の実施形態のように操作検出手段６２を演出操作部材６１側に設ける場合には、貯留皿体１５側又はベース体１６側の所定部位を直接検出し、第２の実施形態のように操作検出手段６２をベース体１６側等に設ける場合には、演出操作部材６１側の所定部位を直接検出するようにしてもよい。
【００５８】
なお、実施形態では、本発明をパチンコ機に適用した例を示したが、アレンジボール機等の各種弾球遊技機において同様に実施可能であることは言うまでもない。
【図面の簡単な説明】
【００５９】
【図１】本発明の第１の実施形態を示すパチンコ機の全体斜視図である。
【図２】本発明の第１の実施形態を示す前面開閉板及び球貯留台の正面図である。
【図３】本発明の第１の実施形態を示す前面開閉板及び球貯留台の平面図である。
【図４】本発明の第１の実施形態を示す前面開閉板及び球貯留台の分解斜視図である。
【図５】本発明の第１の実施形態を示す演出操作手段及びその近傍の分解斜視図である。
【図６】本発明の第１の実施形態を示す演出操作手段及びその近傍の正面断面図である。
【図７】本発明の第１の実施形態を示す演出操作手段及びその近傍の平面断面図である。
【図８】本発明の第１の実施形態を示す演出操作手段及びその近傍の側面断面図である。
【図９】本発明の第２の実施形態を示す演出操作手段及びその近傍の分解斜視図である。
【図１０】本発明の第２の実施形態を示す演出操作手段及びその近傍の正面断面図である。
【図１１】本発明の第２の実施形態を示す演出操作手段及びその近傍の平面断面図である。
【図１２】本発明の第２の実施形態を示す演出操作手段及びその近傍の側面断面図である。
【符号の説明】
【００６０】
１１    上皿（貯留皿）
１４    球貯留台
１５    貯留皿体
１６    ベース体
１７    カバー体
１８    演出操作手段（押圧操作手段）
３５ｂ  開口部
６１    演出操作部材（操作部材）
６２    操作検出手段
６３    発光基板
６３ａ  発光体
６６    縦軸
７１    可動部材
７２    バネ部材（付勢部材）
７４    検出スイッチ
８４    被操作部
【図１】
2008029589.tif 000003
【図２】
2008029589.tif 000004
【図３】
2008029589.tif 000005
【図４】
2008029589.tif 000006
【図５】
2008029589.tif 000007
【図６】
2008029589.tif 000008
【図７】
2008029589.tif 000009
【図８】
2008029589.tif 000010
【図９】
2008029589.tif 000011
【図１０】
2008029589.tif 000012
【図１１】
2008029589.tif 000013
【図１２】
2008029589.tif 000014